(57)【特許請求の範囲】
【請求項１】
通常のカメラ撮影モードと接写モードとの切換機構を有するカメラ部と、前記カメラ部のレンズの光軸を中心とした開口部に平板状の透明部材が配置された環状部とを有し、前記環状部が前記カメラ部の前方に設けられ、前記切換機構に連結されたカメラ付き携帯電話機において、
前記切換機構を収容するキャビネットと、前記キャビネットの前方に取り付けられ、前記環状部の前面を外観部とする開口部を有するパネルとを備え、
前記環状部は、前記外観部よりも後方に形成されたフランジ部が前記キャビネットと前記パネルとの間に設けられ、前記透明部材の前面を前記パネルの外面と一致させ、
前記外観部の前面には突起部が設けられ、該突起部を操作することにより、前記カメラ部を前記接写モードに切り換えることを特徴とするカメラ付き携帯電話機。
【請求項２】
前記環状部が、その側面を露出させないように前記パネルの開口部に埋没させて配置されていることを特徴とする請求項１に記載のカメラ付き携帯電話機。
【請求項３】
前記環状部の回動操作により、前記カメラ部を前記接写モードに切り換えることを特徴とする請求項１又は請求項２に記載のカメラ付き携帯電話機。
【請求項４】
前記カメラ部による対面人物撮影時に使用される液晶表示部を備え、
前記キャビネットが、折り畳み可能に連結され、
前記環状部及び前記液晶表示部が、いずれも折り畳み時に外側となる前記キャビネットの同一面上に形成されていることを特徴とする請求項１から請求項３のいずれかに記載のカメラ付き携帯電話機。
【請求項５】
前記環状部の回動操作により、通常のカメラ撮影モードと接写モードとを切換えるときのクリック機構を設けたことを特徴とする請求項１から請求項４のいずれかに記載のカメラ付き携帯電話機。
【請求項６】
前記環状部は前記キャビネットと前記パネルとの間で、クリアランスを持って取り付けられることを特徴とする請求項１から請求項５のいずれかに記載のカメラ付き携帯電話機。
【発明の詳細な説明】
【技術分野】
【０００１】
本発明は、通常の撮影モード及び接写モードを切り替えることができるカメラ付き携帯電話機に関する。
【背景技術】
【０００２】
従来より、カメラ付き携帯電話機においては、通常撮影モードと接写モードとを備えたものがあり、以下、このようなカメラ付き携帯電話機を図１２乃至図１４を参照して説明する。
【０００３】
図１２はクラムシェル型携帯電話機を折り畳んだ状態を示すものであり、１０１はカメラ部、１０２はストロボ部、１０３は液晶表示部である。図１３は図１２のＢ−Ｂ断面図であり、図１４はその詳細図である。
【０００４】
図１４において、１０４はカメラユニット、１０５はカメラレンズ部、１０５−１はカメラレンズ回転部、１０６はレンズ回転レバー、１０７は弾性部材、１０９は飾り透明窓、１１０は上部キャビネット、１１１は飾りパネル、１１２は下部キャビネット、１１５はカメラホルダー、１１６はレンズ切換ボタンである。
【０００５】
そして、カメラユニット１０４とレンズ回転レバー１０６は、互いにローレットを施し嵌合され、該カメラユニット１０４の下部には信号伝達するための基板を有し、カメラホルダー１１５と共に下部キャビネット１１２に位置決めされて固定される。
【０００６】
又、飾り透明窓１０９は、上部キャビネット１１０と飾りパネル１１１の間に挟まれ、その裏面に弾性部材を貼り付けている。
【０００７】
更に、レンズ切換ボタン１１６は、上部キャビネット１１０と下部キャビネット１１２の間に挟まれ、下部キャビネット１１２の壁をスライド可能に結合する。又、レンズ切換ボタン１１６の一部はキャビネット外部に露出し、切換ボタンの役目を果たす一方、内部に位置する部分は機能部品でコ字状の突起を有し、レンズ回転レバー１０６を挟んで、レンズ切換ボタン１１６のスライドの動きを伝達するようになっている。
【０００８】
このような構成により、レンズ切換ボタン１１６の操作によってレンズ回転レバー１０６が回転し、更にはカメラレンズ１０５を回転させると同時に上下させることが可能となり、該カメラレンズ１０５の焦点距離を切り換えることができるようにしたものがあった。
【０００９】
【特許文献１】特開２００２−１８５８４３号公報
【特許文献２】特開２０００−３５６７３１号公報
【発明の開示】
【発明が解決しようとする課題】
【００１０】
ところが、前記従来のカメラ付き携帯電話機のように、レンズ切換ボタン１１６のスライド操作によってカメラの焦点距離を切り換えるようにしたものでは、レンズ切換ボタン１１６がレンズの光軸に対して垂直に延びているため、カメラにかかわる部品の占める面積が大きく、機器の大型化を招くといった問題点があり、又できる限りの小型化を図るために、カメラをキャビネットの側部付近に配置する必要があり、カメラ部１０１の中心と液晶表示装置１０３の中心とが離れ、液晶表示装置１０３を見ながら対面人物撮影する際に、視点位置がずれるといった問題点があった。
【００１１】
本発明は、これら問題点に鑑み、カメラにかかわる部品の占める面積を小さくすると共に、カメラ部を自由な位置に配置することができるカメラの焦点切換構造、及びカメラ付き携帯電話機を提供することを目的とするものである。
【課題を解決するための手段】
【００１２】
本発明によるカメラ付き携帯電話機は、通常のカメラ撮影モードと接写モードとの切換機構を有するカメラ部と、前記カメラ部のレンズの光軸を中心とした環状部とを有し、前記環状部が前記カメラ部の外面側に設けられ前記カメラ部の切換機構に連結されたカメラ付き携帯電話機であって、当該環状部の操作により、前記カメラ部を前記接写モードに切り換えるように構成される。
【００１３】
又、本発明によるカメラ付き携帯電話機は、前記環状部の回動操作により、前記カメラ部を前記接写モードに切り換えるように構成される。
【００１４】
更に、本発明によるカメラ付き携帯電話機は、連結部を介して折り畳み可能に連結された第１の筐体と第２の筐体とを備え、前記第１の筐体の折畳み内面に第１表示部を設け、前記第２の筐体の折畳み内面に操作部を設け、前記第１の筐体の第１表示部の裏面側にカメラ部と第２表示部とを備えるカメラ付き携帯電話機において、通常のカメラ撮影モードと接写モードとの切換機構を有するカメラ部と、前記カメラ部のレンズの光軸を中心とした環状部とを有し、前記環状部が前記カメラ部の外面側に設けられ前記カメラ部の切換機構に連結され、当該環状部の操作により、前記カメラ部を前記接写モードに切り換えるように構成される。
【発明の効果】
【００１５】
本願発明によれば，カメラにかかわる部品の占める面積を小さくすると共に、カメラ部を自由な位置に配置することができるため、機器の小型化を図ることができる共に、例えば、カメラ部の中心と液晶表示装置の中心とを近接配置することで、液晶表示装置を見ながら対面人物撮影する際に、視点位置をあまりずれなくすることができる。
【発明を実施するための最良の形態】
【００１６】
以下、本発明の実施の形態を図面を参照して詳細に説明する。
【００１７】
図１乃至図４は本発明のカメラの焦点切換構造を有するカメラ付き携帯電話機の構成を示す外観図であり、図１はカメラ付き携帯電話機を折り畳んだ状態を示す正面斜視図、図２はカメラ付き携帯電話機を開いた状態を示す正面斜視図、図３はカメラ付き携帯電話機を開いた状態を示す裏面斜視図、図４はカメラ付き携帯電話機を折り畳んだ状態を示す正面図である。図５は図４のＡ−Ａ断面図、図６は図５の拡大図、図７はカメラ付き携帯電話機に用いられるカメラユニットの構成を示す側面断面図、図８はカメラ付き携帯電話機に用いられる飾りリングの構成を示す三面図、図９は図８のＣ−Ｃ断面図、図１０はカメラ付き携帯電話機に用いられる上部キャビネットの構成を示す裏面斜視図、図１１はカメラ付き携帯電話機の組み立て構成図である。
【００１８】
以下、本発明のカメラの焦点切換構造を有するカメラ付き携帯電話機の図１乃至図１１に基づいて説明する。尚、図１乃至図１１において、図１２乃至図１４と共通する部分には共通の符号を付し、その説明については省略する。
【００１９】
図６において，４はカメラユニット、４−１は信号を伝達するフレキシブル基板、５はカメラレンズ、５−１はカメラレンズ回転部、６はレンズ回転レバー、７は弾性部材、８は飾りリング、８−１は腕、８−２は突起、９は飾り透明窓、１０は上部キャビネット、１０−１支えリブ、１１は飾りパネル、１２は下部キャビネットである。
【００２０】
８−２は外観部に設け、切換を容易に行なうための突起、８−３は切換摺動時のクリック感を出すための爪で、摺動部は回転をスムーズにするためにアール形状になっている。又、爪８−３は、突起１０−２を往復するときにクリック感を生むよう作用する。
【００２１】
飾りリング８は上キャビの支えリブ１０−１と飾りパネル１１の間に挟まれ、クリアランスを設けることにより回転可能に保持する。該飾りリング８の中央には光を通す飾り透明窓９を接着により取付け、外観部には自身を回転し易くするための突起８−２を有する。
【００２２】
弾性部材７は円筒形に形成され、レンズ回転レバー６上にカメラレンズ５周囲を囲うように接着固定され、飾り透明窓９との間で砂や埃等の侵入を防ぐ役目をしている。弾性部材７は例えばゴムやスポンジであってもよい。
【００２３】
又、レンズ回転レバー６とカメラユニット４は、図７に示すように、ホルダー２１と、マクロ繰出し環２２と、レンズ２３と、ＣＣＤ（Charged Coupled  Device  電荷結合素子）２４と、ＤＳＰ（Digital Signal Processor  デジタル信号処理用演算処理装置）２５と、基板２６とからなっている。ホルダー２１はマクロ繰出し環２２を装着するために互いにネジが施され、マクロ繰出し環２２を回転すると自身がネジにより上下するようになっている。マクロ繰出し環２２の内部にはレンズ２３が固定されているためマクロ繰出し環２２の回転によりレンズ２３が上下可能となる。ホルダー２１の下部内側にＣＣＤ２４が基板２６と共に配置され、基板２６の外側にＤＳＰが配置されている。光はマクロ繰出し環２２の先端にある穴より入りレンズを通してＣＣＤによって光信号を電気信号に変換され、ＤＳＰで高速データ処理を行なうようになっている。
【００２４】
以上のように構成し、該飾りリング８の突起８−２を指で回転すれば、該飾りリング８が有する腕８−１がレンズ回転レバー６に回転を伝え、該レンズ回転レバー６はカメラレンズ５を回転と同時に上下し、通常撮影と、接写撮影のための焦点の切換が行われるようになる。
【００２５】
尚、組み立て構成の際に当たって、飾りリング８の突起部のみをキャビ１０の穴の下に通し、キャビの支えリブ１０−１を有する穴に挿入し、爪等によりキャビ１０の肉厚を挟むようにして取付け仮固定する。次に背面液晶窓３を挟みつつ飾りカバーで接着する。各部品はいずれも成形にて製作が可能である。従って、従来装置に比べ、部品点数が少なく、作業工程も少ないため、生産性の向上を図ることができる。
【図面の簡単な説明】
【００２６】
【図１】本発明のカメラ付き携帯電話機を折り畳んだ状態を示す正面斜視図である。
【図２】同カメラ付き携帯電話機を開いた状態を示す正面斜視図である。
【図３】同カメラ付き携帯電話機を開いた状態を示す裏面斜視図である。
【図４】同カメラ付き携帯電話機を折り畳んだ状態を示す正面図である。
【図５】図４のＡ−Ａ断面図である。
【図６】図５の拡大図である。
【図７】同カメラ付き携帯電話機に用いられるカメラユニットの構成を示す側面断面図である。
【図８】同カメラ付き携帯電話機に用いられる飾りリングの構成を示す三面図である。
【図９】図８のＣ−Ｃ断面図である。
【図１０】同カメラ付き携帯電話機に用いられる上部キャビネットの構成を示す裏面斜視図である。
【図１１】同カメラ付き携帯電話機の組み立て構成図である。
【図１２】従来例であるカメラ付き携帯電話機を折り畳んだ状態を示す正面図である。
【図１３】図１２のＢ−Ｂ断面図である。
【図１４】図１３の拡大図である。
【符号の説明】
【００２７】
１    カメラ部
２    ストロボ部
３    背面液晶表示部
４    カメラユニット
４−１    フレキシブル基板
５    カメラレンズ
５−１    カメラレンズ回転部
６    レンズ回転レバー
７    防塵弾性部材
８    飾りリング
８−１    飾りリング腕
８−２    飾りリング突起
８−３    飾りリング爪
９    飾り透明窓
１０    上部キャビネット
１０−１    支えリブ
１０−２    突起
１１    飾りパネル
１２    下部キャビネット
２１    ホルダー
２２    マクロ繰出し環
２３    レンズ
２４    ＣＣＤ
２５    ＤＳＰ
２６    基板
【図１】
0003709995.tif 000002
【図２】
0003709995.tif 000003
【図３】
0003709995.tif 000004
【図４】
0003709995.tif 000005
【図５】
0003709995.tif 000006
【図６】
0003709995.tif 000007
【図７】
0003709995.tif 000008
【図８】
0003709995.tif 000009
【図９】
0003709995.tif 000010
【図１０】
0003709995.tif 000011
【図１１】
0003709995.tif 000012
【図１２】
0003709995.tif 000013
【図１３】
0003709995.tif 000014
【図１４】
0003709995.tif 000015